(57)【特許請求の範囲】
【請求項１】
固定部材と移動部材との間で転動する転動体を内蔵した直線案内装置でガイドレール(1)に案内されて直線移動する移動台(4)に装着される防振装置であって、前記移動台に前記ガイドレールの面直角方向に位置調整可能に装着されたブラケット(6)と、このブラケットに固定された防振スライダ(8)と、この防振スライダに形成されて前記ガイドレールに摺動自在に嵌合する摺動溝(10)と、この摺動溝の対向面の一方を形成している調整ブロック(11)と、この調整ブロックの位置を設定する調整ねじ(15)とを備え、前記摺動溝の両対向側面と底面とは、前記ガイドレール(1)に摺接する複合樹脂面であることを特徴とする、直線案内装置の防振装置。
【請求項２】
前記複合樹脂面が複合材として砲金を含有するフッ素樹脂の樹脂面である、請求項１記載の防振装置。
【請求項３】
前記移動台が工作機械の刃物台スライド又は移動主軸台スライドである、請求項１又は２記載の防振装置。
【発明の詳細な説明】
【０００１】
【発明の属する技術分野】
この発明は、ボールやころなどの転動体を備えた直線案内装置で案内される移動台の振動を防止する装置に関するもので、特に工作機械の刃物台の振動を防止するのに好適な防振装置に関するものである。
【０００２】
【従来の技術】
工作機械は、ワークと刃物との相対移動によりワークを加工するので、直線ないし平面を加工するときは、刃物を高い精度で直線移動させなければならない。この直線移動のための案内装置として、一般的には面接触による滑り案内装置が用いられているが、移動抵抗を軽減して高速化を図る等の目的のために、ボールやころを内蔵した転がり構造の直線案内装置が用いられるようになってきている。しかし、転がり構造の直線案内装置は、滑り構造の案内装置に比べて振動減衰能が低く、移動中の振動により加工面の面精度の低下が生じやすいという問題がある。
【０００３】
この問題を解決するための防振装置として、特開平５−１１６０４８号公報には、流体槽とスライダの間隙の調整が可能で、複数の方向の振動を減衰させられるようにした直線転がり案内装置で案内される移動体の振動減衰装置が提案されている。
【０００４】
その構成は、図３に示すように、ベッド２１に固定された軌道２５と、この軌道２５に摺動可能に支持された軸受２６によって構成される直線案内装置の軸受２６に結合されたコラム２７の振動を、ベッド２１に軌道２５と平行に配置された流体槽と、一部が流体槽に浸漬されるように前記コラム２７に固定されたスライダブロック２２を設け、流体槽に供給された粘性流体によりコラム２７の振動を減衰させるようようにした直線転がり案内装置で案内されるコラム２７の振動減衰装置において、前記流体槽に、対向面に向けて低くなるように傾斜面が形成され、移動可能な一対のスライドベース２３ａ、２３ｂを設け、前記スライダブロック２２に前記傾斜面と平行な２つの傾斜面を形成した、というものである。
【０００５】
この公報記載の発明は、流体槽とスライダの間隙の調整が可能で、しかも複数の方向の振動を減衰させられるようにした直線転がり案内装置で案内される移動体の振動減衰装置を提供することを目的としている。この目的を達成するため、上記公報記載の装置では、スライドベース２３ａ２、３ｂに長手方向に所定の間隔で複数の溝２８を設け、この溝２８を貫通するボルト２９でスライドベースをベースに螺合している。振動が発生した場合、スライドベース２３ａ、２３ｂとスライダブロック２２の間隔を、振動が小さくなるように調整する。このとき、一方のスライドベースとスライダブロックの対向間隙を移動体の上下方向の振動を減衰させるように設定し、他方のスライドベースとスライダブロックの対向間隙を移動体の前後方向の振動を減衰させるように設定することにより、移動体の２方向の振動を減衰させる。
【０００６】
また特開２００１−９６５５号公報には、接近動作及び戻り動作を高速化し、かつ加工条件に応じた剛性や振動減衰能を付与する工作機械の移動台の直線案内装置が示されている。
【０００７】
この公報記載の装置は、図４に示すように、工作機械のフレームに固定されたガイドレール１と、刃物台やワークテーブルなどの移動台４に固定されてガイドレール１に沿って移動するスライダ３１との摺動部に介在する転動体３２を備えた直線案内装置に、ガイドレール１又はこれと平行に設けたブレーキレールを挟持するブレーキシューと、ブレーキシュー３３をレールに向けて付勢する油圧シリンダ３４と、移動台の高速移動指令信号により油圧シリンダ３４の油圧力を解放し、かつ切削移動指令信号により油圧を油圧シリンダ３４に供給する制御手段とを設ける、というものである。
【０００８】
図４に示された装置では、ブレーキシュー３３と油圧シリンダ３４をスライダ３１の図の手前側端面に取付けられたブレーキユニットに設けており、対となるブレーキシュー３３をガイドレール１またはブレーキレールを側面から挟むように対向配置している。
【０００９】
【発明が解決しようとする課題】
しかし、図３の従来構造では、移動台４を案内するガイドレールの他に、２本のスライドベース２３ａ、２３ｂを別個設ける必要があり、特に移動台の移動ストロークが大きいときには、高精度のスライドベースの製造及び組立調整に多大な手数を必要とする。また、左右方向と前後方向の振動を防止することができるが、上下方向の振動を防止することができない。
【００１０】
また、図４の従来装置では、ブレーキシューを作動させる油圧装置が必要でかつ移動台が移動するため、油圧の供給に油圧ホースを使用しなければならず、そのため装置コストが高くなり、配管の寿命も短くなりやすい。
【００１１】
そこでこの発明は、より構造が簡単で、かつ既存の機械にも容易に追加的に装着することが可能で、更に移動台の左右、前後及び上下方向の振動を有効に防止することができる直線案内装置の防振装置を得ることを課題としている。
【００１２】
【課題を解決するための手段】
この発明の防振装置は、固定部材と移動部材との間で転動する転動体を内蔵した直線案内装置でガイドレール１に案内されて直線移動する移動台４に装着される防振装置である。この発明の防振装置は、移動台４にガイドレール１の面直角方向に位置調整可能に装着されたブラケット６と、このブラケットに固定された防振スライダ８と、この防振スライダに形成されてガイドレール１に摺動自在に嵌合する摺動溝１０と、この摺動溝の対向面の一方を形成している調整ブロック１１と、この調整ブロックの位置を設定する調整ねじ１５とを備え、摺動溝１０の両対向側面と底面とは、ガイドレール１に摺接する複合樹脂面であることを特徴とするものである。
【００１３】
複合樹脂面としては、複合材として砲金を含有するフッ素樹脂の樹脂面が特に好ましい。またこの発明の防振装置は、工作機械の移動台の防振装置として好適で、特に刃物台スライドや移動主軸台スライドの防振装置に適している。
【００１４】
上記構造の防振装置は、防振スライダ８とガイドレール１との位置関係をブラケット６の取付位置を調整することで容易に調整可能であり、また対向する摺動面の一方を調整ねじ１５で位置設定可能な調整ブロック１１に設けたので、この調整ねじ１５で対向する摺動面間の間隔をガイドレール１の幅に合せて容易に調整できる。そして、防振スライダ８の摺動面がガイドレール１に上及び左右の三方向から接触し、かつその摺接面が樹脂面であるため、左右及び上下方向に大きな振動減衰能を付与することができる。更に移動台４の前後方向は、ガイドレール１と防振スライダ８の摺動面との間に潤滑油を供給することにより、当該潤滑油の剪断方向の粘性で吸収することができる。更に防振スライダの摺動面の材質として、砲金などの複合材を含有する樹脂面とすることにより、移動台４が高速移動するときの移動抵抗も小さくすることができる。
【００１５】
【発明の実施の形態】
以下、図１ないし２を参照して、この発明の実施形態を説明する。図は旋盤の刃物台スライドに、この発明の防振装置を設けた例を示した図である。図において、１は固定側の部材（フレーム又は下層の移動台）２に固定されたガイドレールで、固定側部材２の上面の凹溝３の両側に互いに平行に固定されている。４は移動台（刃物台スライド）で、両側縁部下面を図示しない転がり構造の直線案内装置でガイドレール１に案内されている。移動台４の下面中央には、円筒溝５が下方に突出した状態で設けられており、固定側部材の凹溝３に配置した送りねじに螺合するナット部材が、この円筒溝５部分に嵌挿される。
【００１６】
両側のレール１の上方の移動台４の端面には、図２に示したブラケット６がボルト７で固定される。このブラケット６は、横方向から見た形状がＬ形で、その下面側に防振スライダ８が４本のボルト９で固定されている。防振スライダ８は、下向きコの字形断面をしており、下面にガイドレール１に嵌装される摺動溝１０が設けられている。摺動溝１０の一方の側壁には、調整ブロック１１が装着されており、その背後には、ガイドレール１を挟持する方向の２本のガイド孔１２とねじ孔１３とが設けられている。調整ブロック１１は矩形板状で、その背面に２本のガイドピン１４が植立されており、このガイドピンを防振スライダのガイド孔１２に摺動自在に嵌合した状態で装着されている。ねじ孔１３には、六角孔付ねじ１５が螺合されている。
【００１７】
摺動溝１０の両側面（不動側と調整ブロック）及び底面には、複合材として砲金を含むフッ素樹脂板１６ａ、１６ｂ、１６ｃが貼着されている。
【００１８】
上記のように構成された防振装置は、移動台４に取付ける際に、防振スライダ８とブラケット６との締結部分でガイドレール１と摺動溝１０との平行度を調整し、ブラケット６と移動台４との締結部分で摺動溝１０の底面及び不動側の側面とガイドレール１との摺動間隙を調整することができる。そして、六角孔付ねじ１５で調整ブロック１１を押動することにより、幅方向に対向する摺動面とガイドレール１との間隔を調整できる。このようにして装着された防振装置は、ガイドレール１の両側面と上面とが複合樹脂の摺動面に面接触した状態で移動して、この移動の際に移動台４に生ずる振動を吸収する。
【００１９】
【発明の効果】
以上説明したこの発明の直線案内装置の防振装置は、構造が簡単で製作が容易であると共に、組立調整に手間がかからず、かつ移動台の上下左右及び前後方向の振動を有効に防止することができる。更に移動台の高速移動時の抵抗も小さく、既存の装置への装着も容易に可能であるという効果がある。
【図面の簡単な説明】
【図１】この発明の防振装置を移動台に取付けた状態を示す一部断面正面図
【図２】図１の防振装置の展開斜視図
【図３】従来の防振装置の正面図
【図４】他の従来装置の一部断面正面図
【符号の説明】
１  ガイドレール
４  移動台
６  ブラケット
８  防振スライダ
10  摺動溝
11  調整ブロック
15  六角孔付ねじ
【図１】
0003954872.tif 000002
【図２】
0003954872.tif 000003
【図３】
0003954872.tif 000004
【図４】
0003954872.tif 000005